【事件の表示】
　平成１１年特許願第３５７４２５号「カードイン稼動形電子機器」拒絶査定不服審判事件〔平成１２年　７月２８日出願公開、特開２０００−２０７４９７、請求項の数（２）〕について、次のとおり審決する。
【結　論】
　原査定を取り消す。
　本願の発明は、特許すべきものとする。
【理　由】
（手続の経緯、本件発明）
　本願は、平成９年８月１２日に出願した特願平９−２１７８８５号の一部を平成１１年１２月１６日に新たな特許出願としたものであって、その請求項１乃至２に係るそれぞれの発明は、平成１４年５月１３日付けの手続補正書により補正された明細書及び図面の記載からみて、その特許請求の範囲に記載されたとおりのものであるところ、その請求項１に係る発明（以下、本件発明という。）は、次のとおりのものである。
「メモリーカードを電子機器のカード受口内に挿抜してメモリーカードの電極とカード受口内のコンタクトとを接離しメモリーカードと電子機器間における情報伝達回路を開閉し、上記受口内に挿入状態に置かれているメモリーカードを挿入方向に手指で押圧操作することによりカード放出機構のカード放出動作を招来する構成としたカードイン稼動形電子機器であって、上記カード放出機構がカード挿入時にカードに押圧されてカード放出弾力を蓄えるように配置されたカード放出部材を備え、上記カード放出部材をカード放出待機位置とカード放出位置へ案内する固定カム及び摺動カムから成るカム機構を備え、該摺動カムが上記カード放出部材と連動してスライドしつつ上記固定カムの周りを回動すると共に該回動過程で固定カムへ係脱し、該係脱によって上記カード放出部材のカード放出待機位置とカード放出位置を形成し、上記摺動カムが固定カムの前端を通過した位置まで前進した後バックストローク（Ｓ１）だけ後退して上記係止状態を形成するようにしたカードイン稼動形電子機器において、上記バックストローク（Ｓ１）を上記電極のカード挿入方向の長さ（Ｓ２）の範囲内に設定し、電極とコンタクトとが接触状態を保ったまま上記摺動カムが上記バックストロークの範囲で前進し且つ後退して上記係止状態を得る構成としたことを特徴とするカードイン稼動形電子機器。」
（刊行物記載の発明）
　これに対し、原審において拒絶の理由に引用された特開平１−２３３６８０号公報（以下、刊行物１という。）には、ＩＣカードリーダ・ライタに関する発明が記載されており、図面と共に、「第１図は本発明の実施例であり、第１図イは平面図、第１図ロは側面断面図である。第２図はロック機構とＩＣカード挿入状態を検知するスイッチ部の斜視図である。ＩＣカードは挿入口１から挿入され、カード先端が移動子２のカード受け部ａに当接する。移動子２はＩＣカードの挿入力によってガイド４に沿って挿入方向に移動しながらＩＣカード側に接近する。またこのとき移動子２はスプリング５によって排出方向に付勢を受ける。移動子２に設けた接点ブロック６は接触子７を有し、この接触子７がＩＣカード端子面に圧接され、またカード押え８がカードに圧接され、ＩＣカードが挿入完了位置まで挿入される。挿入完了位置でＩＣカードから手を放すと、スプリング５による付勢により、移動子２とＩＣカードは排出方向へ移動するがロック機構９により移動子２の排出方向への移動が止められる。カードの挿入状態を検出するスイッチ部１０ａとスイッチ部１０ｂが接続してＩＣカード挿入完了信号がＯＮとなり、圧接された接触子７からＩＣカードへデータの読み書きが開始される。ＩＣカードへのデータの読み書き終了後、ＩＣカードを再び押すことにより移動子２が挿入方向に移動し、スイッチ部１０ａとスイッチ部１０ｂが離れＩＣカード挿入完了信号がＯＦＦとなり、ロック機構９のロックが解除され、移動子２はスプリング５による排出方向の付勢によりガイド４に沿って排出方向に移動しながらＩＣカードから離れていく。移動子２に設けた接点ブロック６に設置された接触子７とカード押え８はＩＣカードから離脱してＩＣカードが排出終了位置まで排出される。」（第２頁左下欄第１５行〜第３頁左上欄第５行）と説明されている。
（対比、検討）
　そこで、本件発明と上記刊行物１記載の発明とを対比すると、
(i)上記刊行物１記載の発明において、ＩＣカードは挿入口１より挿抜され、接触子７とＩＣカード端子面の圧接によりデータの読み書きが行われ、また、ＩＣカードを再び押すことにより移動子２が挿入方向に移動してロック機構９のロックが解除されるようにしており、本件発明が、メモリーカードを電子機器のカード受口内に挿抜してメモリーカードの電極とカード受口内のコンタクトとを接離しメモリーカードと電子機器間における情報伝達回路を開閉し、上記受口内に挿入状態に置かれているメモリーカードを挿入方向に手指で押圧操作することによりカード放出機構のカード放出動作を招来する構成としたとする点と実質的な差異はない。
(ii)上記刊行物１記載の発明は、スプリング５によって排出方向に付勢を受ける移動子２を備えており、本件発明において、カード放出機構がカード挿入時にカードに押圧されてカード放出弾力を蓄えるように配置されたカード放出部材を備えるとした点と実質的な差異はない。
(iii)上記刊行物１記載の発明は、移動子に設けられたハート形状のカム部材（第１図）とスイッチ部１０ｂとを備えており、移動子の移動に伴い、スイッチ部１０ｂはハート型のカム部材の周りを回動し、ハート形状の谷でスイッチ部１０ｂはロックされ、その位置からの移動によりロック解除が行われるとしており、また、前記ハート形状の谷の深さ（谷と挿入完了位置との間）は、スイッチ部１０ｂがロックされる際のバックスストロークであるから、本件発明が、カード放出部材をカード放出待機位置とカード放出位置へ案内する固定カム及び摺動カムから成るカム機構を備え、該摺動カムが上記カード放出部材と連動してスライドしつつ回動し、該回動過程で固定カムへ係脱し、該係脱によって上記カード放出部材のカード放出待機位置とカード放出位置を形成し、上記摺動カムが固定カムの前端を通過した位置まで前進した後バックストローク（Ｓ１）だけ後退して上記係止状態を形成するとした点と実質的な差異はない。
　したがって、本件発明と上記刊行物１記載の発明とは次の点で相違し、その余では一致する。
(a)本件発明においては、摺動カムが固定カムの周りを回動するとしているのに対し、上記刊行物１記載の発明においては、スイッチ部１０ｂ（本件発明の固定部材）がハード形状のカム部材（本件発明の摺動カムに相当）の周りを回動するようにしている点
(b)本件発明が、バックストローク（Ｓ１）を上記電極のカード挿入方向の長さ（Ｓ２）の範囲内に設定し、電極とコンタクトとが接触状態を保ったまま上記摺動カムが上記バックストロークの範囲で前進し且つ後退して上記係止状態を得る構成としているのに対し、上記刊行物１にはその点についての直接的言及がない点
（相違点についての判断）
　上記相違点について判断すると以下のとおりである。
　上記相違点(a)について
　カム部材をどのように配置するかは当業者が適宜決めればよいことであって、上記刊行物１記載の発明において、ハート形状のカム部材を固定し、スイッチ部１０ｂをその周りを回動するようにすることは、当業者が適宜なし得ることにすぎない。　
　上記相違点(b)について
　上記刊行物１記載の発明においては、接触子７が移動子上設けられ、ＩＣカード端子面と接触子７との接触を保ったままハート形状の谷の深さを移動しているため、上記刊行物１記載の発明からは、Ｓ１とＳ２とについての何らの関係も見いだせない。そして、たとえ、接触子を装置に固定して設けることは本件出願前普通に知られている（必要ならば、例えば、実願昭63−47838号（実開平1−150387号）のマイクロフィルムを参照されたい。）ことであったとしても、上記刊行物１記載の発明からＳ１とＳ２とについての何らの関係も見いだせない以上は、当業者が、上記刊行物１記載の発明及び前記周知技術に基づき、本件発明のように、バックストローク（Ｓ１）を上記電極のカード挿入方向の長さ（Ｓ２）の範囲内に設定し、電極とコンタクトとが接触状態を保ったまま上記摺動カムが上記バックストロークの範囲で前進し且つ後退して上記係止状態を得る構成を容易に導き出せるとすることはできない。
（まとめ）
　　以上のとおりであるから、本件発明が、特許法第２９条第２項の規定により特許を受けることができないとすることはできない。
　また、他に本願を拒絶すべき理由を発見しない。
　　
　よって、結論のとおり審決する。